(57)【要約】      （修正有）【課題】簡単な構成で、かつ水中でふわりふわりと揺れ動くように感じる新規な装飾部材であって、これを使用した非常に新規な装身具を提供する。【解決手段】内面が鏡面からなる円弧状断面の容器状本体１２と、透明ないし半透明の貴石製で下面にカット１４が施され、前記容器状本体の開口面１２ａに装着された凸レンズ状カバー１３とからなり、さらに前記容器状本体内に自由に揺れ動くように球状体１５を収納することにより、揺れに応じて前記球状体が、水中でふわりふわりと揺れ動くように感じるように構成されている。【選択図】図４
0003224742.tif 000002
【実用新案登録請求の範囲】
【請求項１】
内面が鏡面からなる円弧状断面の容器状本体と、透明ないし半透明の貴石製で下面にカットが施され、前記容器状本体の開口面に装着された凸レンズ状カバーとからなり、さらに前記容器状本体内に自由に揺れ動くように球状体を収納することにより、揺れに応じて前記球状体が、水中でふわりふわりと揺れ動くように感じるように構成されていることを特徴とする装飾部材。
【請求項２】
前記球状体は、種々の色彩の表面を備えたカラーボールから選択することが可能であることを特徴とする請求項１に記載の装飾部材。
【請求項３】
前記容器状本体と凸レンズ状カバーとは、爪止め、彫り止め、伏せ込みや接着剤その他の装身具における宝石の係止手段により一体化されていることを特徴とする請求項１または２に記載の装飾部材。
【考案の詳細な説明】
【技術分野】
【０００１】
本考案は、装身具類に使用することができる装飾部材に関する。
【背景技術】
【０００２】
従来、宝石、人造宝石、貴石類などを取り付けた指輪、ネックレス、ピアスイヤリングなどの装身具が普及しており、例えば宝石の枠部材と台座とを、適宜手段で揺らすことができるように連結したものが提案されている。
そしてそのような揺動手段としては、丸環どうしで連結したり、ピボット状の支軸やコイル状スプリングで支持することが採用されており、装身具を身に着けている人の動きに応じて細かく揺れるようにした揺れる装身具が提案されている。
【０００３】
他方、実用新案登録第３２１１２７０号公報（特許文献１参照）には、空洞を有する中空の金属で形成されている第１の半球状体と、ガラスなどの透明な部材で形成されている第２の半球状体と、宝石などの固形物で構成され、第１の半球状体と第２の半球状体間の空洞に固形物が配置された状態で一体的な球状体とすることにより、例えば身体の揺れに応じて固形物が不思議なゆらゆらとしたものとして、第２の半球状体を介して視覚に感じるように構成された装飾物及びそれを用いた装飾具が提案されている。
【先行技術文献】
【特許文献】
【０００４】
【特許文献１】実用新案登録第３２１１２７０号公報
【考案の概要】
【考案が解決しようとする課題】
【０００５】
しかし、例えば上記の装飾具は、不思議なゆらゆらとした雰囲気の装飾物及びそれを用いた装飾具を提供することができるとはいうものの、形状が球状体であって変化に乏しく、使用しているとすぐに飽きが来てしまうという問題があった。
【０００６】
そこで本考案の装飾部材は、従来技術のこうした点に鑑みてなされたものであり、簡単な構成ながら水中でふわりふわりと揺れ動くように感じる新規な装飾部材であって、これを使用した非常に新規な装身具を提供することを目的とするものである。
【課題を解決するための手段】
【０００７】
上記課題を解決するために、本考案に係る装飾部材は、内面が鏡面からなる円弧状断面の容器状本体と、透明ないし半透明の貴石製で下面にカットが施され、前記容器状本体の開口面に装着された凸レンズ状カバーとからなり、さらに前記容器状本体内に自由に揺れ動くように球状体を収納することにより、揺れに応じて前記球状体が、水中でふわりふわりと揺れ動くように感じるように構成されていることを特徴とするものである。
【０００８】
本考案に係る装飾部材において、前記球状体は、種々の色彩の表面を備えたカラーボールから選択することが可能であることをも特徴とするものである。
【０００９】
本考案に係る装飾部材において、前記容器状本体と凸レンズ状カバーとは、爪止め、彫り止め、伏せ込みや接着剤その他の装身具における宝石の係止手段により一体化されていることをも特徴とするものである。
【考案の効果】
【００１０】
本考案によれば、簡単な構成で中空内部に収納した球状体を揺動できるようにすることで、不思議な水中でふわりふわりと揺れ動くように感じることができるように形成された装飾部材、及びそれを用いた比類のない装身具を提供することができる。
【図面の簡単な説明】
【００１１】
【図１】本考案の装飾部材の実施形態を示す概略平面図である。
【図２】（ａ）は容器状本体と凸レンズ状カバーを組み付けようとする状態の概略側面図，（ｂ）はその概略断面図である。
【図３】その概略斜視図である。
【図４】（ａ）は容器状本体と凸レンズ状カバーを組み付けた状態の概略側面図，（ｂ）はその概略断面図である。
【図５】（ａ）は容器状本体と凸レンズ状カバーを組み付けた状態の概略斜視図、（ｂ）は前記容器状本体内で球状体が揺れ動いている状態を示す概略斜視図である。
【考案を実施するための形態】
【００１２】
以下、本考案の装飾部材を図１ないし図５を用いて説明する。
図１は本考案の装飾部材の実施形態を示す概略平面図、図２（ａ）、（ｂ）は容器状本体と凸レンズ状カバーを組み付けようとする状態の概略側面図および概略断面図、図３はその概略斜視図、図４（ａ）、（ｂ）は容器状本体と凸レンズ状カバーを組み付けた状態の概略側面図および概略断面図、図５（ａ）はその概略斜視図、（ｂ）は球状体が揺れ動いている状態の概略斜視図である。
【００１３】
本考案の１実施例を示す図１ないし図５において、装飾部材１１は、内面が鏡面からなる円弧状断面の容器状本体１２と、透明ないし半透明の貴石製で下面にカット１４が施され、前記容器状本体１２の開口面１２ａに装着された凸レンズ状カバー１３とからなるものである。そして、前記容器状本体１２内には自由に揺れ動くように球状体１５が収納されている。
【００１４】
このように構成した装飾部材１１によれば、装飾部材１１を身に着けた人の動作にしたがって起きる揺れに応じて、前記球状体１５が揺れ動き、凸レンズ状カバー１３によって生じるレンズ効果と相まって、それが水中でふわりふわりと揺れ動くように感じられるものとなるのである。
【００１５】
本考案に係る装飾部材１１において、前記球状体１５としては、種々の色彩の表面を備えたカラーボールから選択することが可能である。
それに伴って、前記球状体１５から発せられる色合いが凸レンズ状カバー１３の表面から現出し、カラフルな装飾部材１１とすることができる。
またカラーボールの選択により、非常にバリエーションに富む装飾部材１１を得ることができる。
【００１６】
前記球状体１５の大きさは、直径が前記容器状本体１２の底面と凸レンズ状カバー１３の下面とからなる間隙の寸法より小さければよく、この範囲内で適宜最適な大きさにすればよい。
【００１７】
なお、前記容器状本体１２と凸レンズ状カバー１３とは、爪止めのみならず、彫り止め、伏せ込みや接着剤その他の装身具における宝石の係止手段により一体化することが可能である。
なお、図では前記容器状本体１２上に突設した爪１６による爪止めが例示してある。
【００１８】
得た装飾部材１１は図４に示すような構造であり、球状体１５が揺れ動くことで凸レンズ状カバー１３によるレンズ機能と相まって、球状体１５が水中でふわりふわりと揺れ動くように感じられるのである。
さらに、前記凸レンズ状カバー１３は透明ないし半透明の貴石製で下面にカット１４が施されているため、前記球状体１５が水中でふわりふわりと揺れ動くように感じられるばかりか、きらきらときらめいてここちよい美感を発することができる。
【産業上の利用可能性】
【００１９】
本考案の装飾部材は、一般的に使用されている指輪やピアスイヤリング、イヤリング、ネクタイピン、ペンダントその他の装身具に好適に適用することができる。
もちろん、上記装身具以外の装飾的に用いることが要求される種々の用途にも適用できることはいうまでもない。
【符号の説明】
【００２０】
１１  装飾部材
１２  容器状本体
１２ａ  開口面
１３  凸レンズ状カバー
１４  カット
１５  球状体
１６  爪
【図１】
0003224742.tif 000003
【図２】
0003224742.tif 000004
【図３】
0003224742.tif 000005
【図４】
0003224742.tif 000006
【図５】
0003224742.tif 000007